【手続補正書】
【提出日】令和2年8月12日(2020.8.12)
【手続補正１】
【補正対象書類名】特許請求の範囲
【補正対象項目名】全文
【補正方法】変更
【補正の内容】
【特許請求の範囲】
【請求項１】
個人の認知スキルの定量子を生成するための装置であって、少なくとも1つの生理学的コンポーネントに接続され、
ユーザインターフェースと、
プロセッサ実行可能命令を記憶するためのメモリと、
前記ユーザインターフェースおよび前記メモリに通信可能に接続されている処理ユニットと
を備え、
前記処理ユニットにより前記プロセッサ実行可能命令が実行されると、前記処理ユニットは、
前記ユーザインターフェースにおいて一次課題の第1のインスタンスを干渉とともに表現することであって、前記干渉の存在下で前記一次課題の前記第1のインスタンスへの前記個人からの第1の応答が要求され、
前記干渉は、妨害するものまたは注意を逸らすもののうちの一方または両方を含む、ことと、
前記ユーザインターフェースにおいて前記一次課題の第2のインスタンスを前記干渉を伴わずに表現することであって、前記一次課題の前記第2のインスタンスへの前記個人からの第2の応答が要求され、
前記処理ユニットは、
(i)前記干渉への二次応答を、前記処理ユニットが前記第2の応答を受信するのと実質的に同時に受信するか、または
(ii)妨害するものである前記干渉への前記二次応答を、前記処理ユニットが前記第1の応答を受信するのと実質的に同時に受信し、注意を逸らすものである前記干渉への前記二次応答を、前記処理ユニットが前記第1の応答を受信するのと実質的に同時に受信しない
ように構成され、
前記処理ユニットは、前記個人の少なくとも1つの生理学的プロファイルを示すデータを受信するように構成され、前記少なくとも1つの生理学的プロファイルは、前記少なくとも1つの生理学的コンポーネントの1つまたは複数の測定に基づいており、前記少なくとも1つの生理学的コンポーネントは、前記個人の生理学的測定値を測定するために接続されている、ことと、
前記第1の応答、前記第2の応答、および前記少なくとも1つの生理学的プロファイルを示すデータを受信することと、
前記少なくとも1つの生理学的プロファイルに関して前記第1の応答を示す前記データと前記第2の応答を示す前記データとの差を決定することに少なくとも部分的によって、干渉なしと干渉ありとで前記一次課題を実行することから前記個人のパフォーマンスにおける前記差を解析して、前記個人のパフォーマンスメトリックを決定することであって、前記パフォーマンスメトリックは、前記個人の認知能力の指標を含む、ことと
を行うように構成される、装置。
【請求項２】
前記処理ユニットは、前記1つまたは複数の測定を実行するために制御信号を前記少なくとも1つの生理学的コンポーネントに送信するようにさらに構成される、請求項1に記載の装置。
【請求項３】
前記少なくとも1つの生理学的プロファイルは、前記一次課題および/または前記干渉への前記個人の注意力の状態の指示を提供する、請求項1に記載の装置。
【請求項４】
前記処理ユニットは、
前記個人の怒りの状態またはフラストレーションの状態のうちの一方または両方を示す生理学的プロファイルを識別し、
その後計算される少なくとも1つの生理学的プロファイルが前記個人の前記怒りの状態または前記フラストレーションの状態の修正を示すように正規化するために、前記一次課題または前記干渉のうちの一方または両方の認知的負荷を調整する
ようにさらに構成される、請求項1に記載の装置。
【請求項５】
前記処理ユニットは、前記少なくとも1つの生理学的プロファイルを解析して、前記一次課題または干渉のうちの一方または両方への前記個人からの逸脱した応答の指標を識別するようにさらに構成される、請求項1に記載の装置。
【請求項６】
前記処理ユニットは、2つ以上の異なるタイプの生理学的コンポーネントを使用して行われた時間の経過を追った1つまたは複数の測定に基づき前記少なくとも1つの生理学的プロファイルを計算するようにさらに構成される、請求項1に記載の装置。
【請求項７】
前記処理ユニットは、前記少なくとも1つの生理学的プロファイルを解析して、ユーザが処理に応答する可能性があるか、応答しない可能性があるかを決定するようにさらに構成される、請求項1に記載の装置。
【請求項８】
前記処理ユニットは、前記個人における評価または前記処理の有効性の予測因子を生成するようにさらに構成される、請求項7に記載の装置。
【請求項９】
前記処理ユニットは、
前記少なくとも1つの生理学的プロファイルを解析して、前記個人が前記一次課題または前記干渉のうちの一方または両方の少なくとも1つの要素を予想する能力を監視し、
その後計算される少なくとも1つの生理学的プロファイルが前記個人の情動的に調節された状態を示すように正規化するために、前記一次課題または前記干渉のうちの一方または両方の認知的負荷を調整する
ようにさらに構成される、請求項1に記載の装置。
【請求項１０】
前記処理ユニットは、前記パフォーマンスメトリックを干渉コストとして計算するようにさらに構成される、請求項1に記載の装置。
【請求項１１】
前記一次課題は、連続的課題であり、前記一次課題の前記第1のインスタンスは、第1の時間間隔にわたって表現される前記連続的課題であり、前記一次課題の前記第2のインスタンスは、第2の時間間隔にわたって表現される前記連続的課題であり、前記第1の時間間隔は、前記第2の時間間隔と異なる、請求項10に記載の装置。
【請求項１２】
前記パフォーマンスメトリックは、
(i)認知テストまたは行動テストのうちの一方または両方における前記個人の予想パフォーマンス、および
(ii)前記個人の認知状態、疾病、または実行機能障害の状態または進行の診断
のうちの一方または両方を示すデータを含む、請求項1に記載の装置。
【請求項１３】
前記処理ユニットは、前記一次課題の前記第1のインスタンスを連続的な視覚運動追跡課題として表現するように前記ユーザインターフェースを制御するように構成され、前記一次課題の前記第1のインスタンスは、前記連続的な視覚運動追跡課題の第1の時間間隔である、請求項1に記載の装置。
【請求項１４】
前記処理ユニットは、前記干渉をターゲット弁別干渉として表現するように前記ユーザインターフェースを制御するように構成される、請求項1に記載の装置。
【請求項１５】
前記処理ユニットは、
前記干渉が前記個人の注意を前記一次課題から逸らすように、前記干渉の存在下で前記一次課題の前記第1のインスタンスを表現し、前記干渉は、注意を逸らすものおよび妨害するもののうちの一方または両方として表現される、
ように前記ユーザインターフェースを構成することによって、前記一次課題の前記第1のインスタンスを前記干渉とともに表現するように構成される、請求項1に記載の装置。
【請求項１６】
前記処理ユニットは、
妨害するものである前記干渉への前記二次応答を、前記一次課題の前記第1のインスタンスへの前記第1の応答を前記ユーザインターフェースが受信するのと実質的に同時に受信し、注意を逸らすものである前記干渉への前記二次応答を、前記一次課題の前記第1のインスタンスへの前記第1の応答を前記処理ユニットが受信するのと実質的に同時に受信しない
ように前記ユーザインターフェースを構成するように構成される、請求項15に記載の装置。
【請求項１７】
前記処理ユニットは、決定された前記パフォーマンスメトリックを使用して前記個人のパフォーマンスの精神測定曲線を計算するようにさらに構成される、請求項1に記載の装置。
【請求項１８】
1つまたは複数の生理学的コンポーネントと、請求項1から17のいずれか一項に記載の装置とを備えるシステムであって、
前記処理ユニットにより前記プロセッサ実行可能命令が実行されると、前記処理ユニットは、
前記1つまたは複数の生理学的コンポーネントの1つまたは複数の測定を示すデータを受信し、
前記第1の応答および前記第2の応答を示す前記データ、ならびに前記1つまたは複数の生理学的コンポーネントの前記1つまたは複数の測定を示す前記データを解析して、前記パフォーマンスメトリックを計算する
ように構成される、システム。
【請求項１９】
個人の認知スキルを増強するための装置であって、
ユーザインターフェースと、
プロセッサ実行可能命令を記憶するためのメモリと、
前記ユーザインターフェースおよび前記メモリに通信可能に接続されている処理ユニットと
を備え、
前記処理ユニットにより前記プロセッサ実行可能命令が実行されると、前記処理ユニットは、
前記ユーザインターフェースにおいて一次課題の第1のインスタンスを干渉とともに表現することであって、前記干渉の存在下で前記一次課題の前記第1のインスタンスへの前記個人からの第1の応答が要求され、
前記干渉は、妨害するものまたは注意を逸らすもののうちの一方または両方を含む、ことと、
前記ユーザインターフェースにおいて前記一次課題の第2のインスタンスを前記干渉を伴わずに表現することであって、前記一次課題の前記第2のインスタンスへの前記個人からの第2の応答が要求され、
前記処理ユニットは、
(i)前記干渉への二次応答を、前記処理ユニットが前記第2の応答を受信するのと実質的に同時に受信するか、または
(ii)妨害するものである前記干渉への前記二次応答を、前記処理ユニットが前記第1の応答を受信するのと実質的に同時に受信し、注意を逸らすものである前記干渉への前記二次応答を、前記処理ユニットが前記第1の応答を受信するのと実質的に同時に受信しない
ように構成され、
前記処理ユニットは、前記個人の少なくとも1つの生理学的プロファイルを示すデータを受信するように構成され、前記少なくとも1つの生理学的プロファイルは、生理学的測定値をもたらすために前記少なくとも1つの生理学的コンポーネントの1つまたは複数の測定に基づいており、前記少なくとも1つの生理学的コンポーネントは、前記個人の生理学的測定値を測定するために接続されている、ことと、
前記第1の応答、前記第2の応答、および前記少なくとも1つの生理学的プロファイルを示すデータを受信することと、
前記少なくとも1つの生理学的プロファイルに関して前記第1の応答を示す前記データと前記第2の応答を示す前記データとの差を決定することに少なくとも部分的によって、干渉なしと干渉ありとで前記一次課題を実行することから前記個人のパフォーマンスにおける前記差を解析して、前記個人の第1のパフォーマンスメトリックを決定することであって、前記第1のパフォーマンスメトリックは、前記個人の認知能力の第1の指標を含む、ことと、
前記装置が第2の難易度レベルで前記一次課題の第3のインスタンスまたは前記干渉のうちの一方または両方を表現するように、前記少なくとも1つの生理学的プロファイルに基づき前記一次課題または前記干渉の一方または両方の難易度を調整することと、
前記個人の第2のパフォーマンスメトリックを決定することであって、前記第2のパフォーマンスメトリックは、前記個人の前記認知能力の第2の指標を含む、ことと
を行うように構成される、装置。
【請求項２０】
前記処理ユニットは、前記少なくとも1つの生理学的プロファイルが前記一次課題または前記干渉のうちの一方または両方への前記個人の注意力の状態を示すように、前記一次課題または前記干渉のうちの一方または両方の前記難易度を調整するようにさらに構成される、請求項19に記載の装置。
【請求項２１】
前記処理ユニットは、前記一次課題または前記干渉のうちの一方または両方への前記個人の注意のなさを示す前記少なくとも1つの生理学的プロファイルへの応答として、前記一次課題または前記干渉のうちの一方または両方の前記難易度を調整して、認知的負荷を調整するようにさらに構成される、請求項19に記載の装置。
【請求項２２】
前記処理ユニットは、課題自動化を示す前記少なくとも1つの生理学的プロファイルへの応答として、前記一次課題または前記干渉のうちの一方または両方の前記難易度を調整して、認知的負荷を調整するようにさらに構成される、請求項19に記載の装置。
【請求項２３】
前記処理ユニットは、前記少なくとも1つの生理学的プロファイルが前記一次課題または前記干渉のうちの一方または両方への前記個人の高まった取り組みを示すように、前記一次課題または前記干渉のうちの一方または両方の前記難易度を調整するようにさらに構成される、請求項19に記載の装置。
【請求項２４】
前記処理ユニットは、
前記干渉が前記個人の注意を前記一次課題から逸らすように、前記干渉の存在下で前記一次課題の前記第1のインスタンスを表現し、前記干渉は、注意を逸らすものまたは妨害するもののうちの一方または両方として表現される、
ように前記ユーザインターフェースを構成することによって、前記一次課題の前記第1のインスタンスを前記干渉とともに表現する、請求項19に記載の装置。
【請求項２５】
前記処理ユニットは、
妨害するものである前記干渉への前記二次応答を、前記一次課題の前記第1のインスタンスへの前記第1の応答を前記ユーザインターフェースが受信するのと実質的に同時に受信し、注意を逸らすものである前記干渉への前記二次応答を、前記一次課題の前記第1のインスタンスへの前記第1の応答を前記処理ユニットが受信するのと実質的に同時に受信しない
ように前記ユーザインターフェースを構成する、請求項24に記載の装置。
【請求項２６】
前記処理ユニットは、前記第1のパフォーマンスメトリックまたは前記第2のパフォーマンスメトリックのうちの一方または両方を干渉コストとして決定するようにさらに構成される、請求項19に記載の装置。
【請求項２７】
前記一次課題は、連続的課題であり、前記一次課題の前記第1のインスタンスは、第1の時間間隔にわたって表現される前記連続的課題であり、前記一次課題の前記第2のインスタンスは、第2の時間間隔にわたって表現される前記連続的課題であり、前記第1の時間間隔は、前記第2の時間間隔と異なる、請求項26に記載の装置。
【請求項２８】
前記処理ユニットは、前記一次課題の前記第1のインスタンスを連続的な視覚運動追跡課題として表現するように前記ユーザインターフェースを制御するように構成され、前記一次課題の前記第1のインスタンスは、前記連続的な視覚運動追跡課題の第1の時間間隔である、請求項19に記載の装置。
【請求項２９】
前記処理ユニットは、前記個人の少なくとも1つの物理的アクションを測定し前記第1の応答または前記第2の応答のうちの一方または両方を提供するように少なくとも1つのセンサデバイスを制御するように構成される、請求項19に記載の装置。
【請求項３０】
前記処理ユニットは、決定された前記第1のパフォーマンスメトリックまたは決定された前記第2のパフォーマンスメトリックのうちの一方または両方を使用して前記個人のパフォーマンスの精神測定曲線を計算するようにさらに構成される、請求項19に記載の装置。
【請求項３１】
前記処理ユニットは、前記第1のパフォーマンスメトリックまたは前記第2のパフォーマンスメトリックのうちの一方または両方を決定境界メトリックとして決定するようにさらに構成される、請求項19に記載の装置。
【請求項３２】
前記難易度を調整することは、前記一次課題または前記干渉のうちの一方または両方の時間的に変化する様相を修正することを含む、請求項19に記載の装置。
【請求項３３】
前記一次課題または前記干渉の前記時間的に変化する様相を修正することは、前記個人のインタラクションの2つ以上のセッションの間で前記ユーザインターフェースに前記一次課題または前記干渉を表現する時間的長さを調整することを含む、請求項32に記載の装置。
【請求項３４】
前記時間的に変化する態様は、対象の速度、表情の変化率、対象の軌跡の方向、対象の配向の変化、対象の少なくとも1つの色、対象のタイプ、または対象のサイズのうちの1つまたは複数である、請求項32に記載の装置。
【請求項３５】
対象のタイプの変化は、第1のタイプの対象から第2のタイプの対象へのモーフィングを使用するか、またはブレンドシェイプを前記第1のタイプの対象と前記第2のタイプの対象との比例した組合せとして表現することで引き起こされる、請求項34に記載の装置。
【請求項３６】
前記処理ユニットは、
前記第1の応答および前記第2の応答を繰り返し方式で取得するために前記一次課題の前記第1のインスタンスおよび前記一次課題の前記第2のインスタンスを表現し、前記難易度は、前記繰り返しの2つ以上の間に調整され、
前記少なくとも1つの生理学的プロファイルを示すデータを受信し、前記少なくとも1つの生理学的プロファイルは、(i)前記少なくとも1つの生理学的コンポーネントの1つもしくは複数の同期測定、または(ii)前記少なくとも1つの生理学的コンポーネントの1つもしくは複数の非同期測定、または(i)と(ii)の両方に基づき決定され、
前記少なくとも1つの生理学的プロファイルに関して、前記個人の前記繰り返しのうちの2つ以上からの前記第1の応答を示す前記データと前記第2の応答を示すデータとに基づき前記個人の複合パフォーマンスメトリックを決定する
ようにさらに構成される、請求項19に記載の装置。
【請求項３７】
1つまたは複数の生理学的コンポーネントと、請求項19から36のいずれか一項に記載の装置とを備えるシステムであって、
前記処理ユニットにより前記プロセッサ実行可能命令が実行されると、前記処理ユニットは、
前記1つまたは複数の生理学的コンポーネントの1つまたは複数の測定を示すデータを受信し、
前記第1の応答および前記第2の応答を示す前記データ、ならびに前記1つまたは複数の生理学的コンポーネントの前記1つまたは複数の測定を示す前記データを解析して、前記第1のパフォーマンスメトリックおよび前記第2のパフォーマンスメトリックを計算する
ように構成される、システム。
【請求項３８】
前記処理ユニットは、前記個人の少なくとも1つの物理的アクションを測定し前記第1の応答または前記第2の応答のうちの一方または両方を提供するように少なくとも1つのセンサデバイスを制御するように構成される、請求項1に記載の装置。